(57)【特許請求の範囲】
【請求項１】
刈取装置の側面を覆うサイドカバーを備え、メンテナンス用の着脱カバーと、前記着脱カバーの上端側に延長状に配置する固定カバーとによって前記サイドカバーを形成するコンバインにおいて、
前記刈取装置の側面のうち引起し搬送穀稈が絡みやすい区域の側面に前記着脱カバーを設けると共に、前記刈取装置の側面のうち引起し搬送穀稈が絡みにくい区域の側面に前記固定カバーを設け、
前記刈取装置の側部のうち、操縦座席から離れた側の側部に引起し支持フレームを介してバックミラー支柱を立設させ、前記バックミラー支柱の上下幅中間と前記引起し支持フレーム間にカバーブラケット体を連結し、前記カバーブラケット体に前記固定カバーを締結している、
コンバイン。
【請求項２】
前記刈取装置の側面のうち引起装置と穀稈搬送装置の側方に、フック機構を介して、前記着脱カバーをワンタッチ脱着可能に支持すると共に、前記引起装置上端側の引起し横フレーム側方に、締結体を介して、前記固定カバーを固着している、
請求項１に記載のコンバイン。
【請求項３】
前記刈取装置の前方側を照射するライトを備える構造であって、前記引起し横フレームの側方にカバーブラケット体を配置し、前記ライトの取付けボルトを介して、前記カバーブラケット体に前記固定カバーを締結している、
請求項２に記載のコンバイン。
【発明の詳細な説明】
【技術分野】
【０００１】
本願発明は、刈取装置にて圃場の未刈り穀稈を刈り取りながら、脱穀装置にてその刈取り穀稈を脱穀して穀粒を収穫するコンバインに関するものである。
【背景技術】
【０００２】
従来のコンバインは、刈取装置の左右両側方に左右サイドカバーを配置し、刈取装置前部の穀稈引起装置などを左右サイドカバーにて覆うように構成されている（特許文献１参照）。特許文献１のコンバインでは、メンテナンス用の着脱カバーと、着脱カバーの上端側に延長状に配置する固定カバーとに、サイドカバーが分割形成されていて、固定カバーの外側面に前照灯が組み付けられている。
【先行技術文献】
【特許文献】
【０００３】
【特許文献１】特開２０１１−２３９７２７号公報
【発明の概要】
【発明が解決しようとする課題】
【０００４】
ところで、特許文献１の従来技術では、フック機構などにてワンタッチ脱着する着脱カバーが小形に形成されているから、着脱カバーの脱着作業性が向上するが、着脱カバーと固定カバーにて刈取側部を覆うには、締結ボルトを介して固着する固定カバーを大形に形成する必要がある。即ち、着脱カバーが覆う刈取側部の面積が小さくなり、固定カバーが覆う刈取側部の面積が大きくなるから、例えば、引起し搬送中に絡み付いた穀稈などを除去するメンテナンス作業などにおいて、着脱カバーを取外すだけでは、刈取側部の作業空間を充分に確保できない。したがって、脱着作業が面倒な固定カバーも取外して、刈取側部の作業空間を確保する必要がある等の取扱い上の問題がある。
【０００５】
そこで、本願発明は、これらの現状を検討して改善を施したコンバインを提供しようとするものである。
【課題を解決するための手段】
【０００６】
請求項１の発明は、刈取装置の側面を覆うサイドカバーを備え、メンテナンス用の着脱カバーと、前記着脱カバーの上端側に延長状に配置する固定カバーとによって前記サイドカバーを形成するコンバインにおいて、前記刈取装置の側面のうち引起し搬送穀稈が絡みやすい区域の側面に前記着脱カバーを設けると共に、前記刈取装置の側面のうち引起し搬送穀稈が絡みにくい区域の側面に前記固定カバーを設け、前記刈取装置の側部のうち、操縦座席から離れた側の側部に引起し支持フレームを介してバックミラー支柱を立設させ、前記バックミラー支柱の上下幅中間と前記引起し支持フレーム間にカバーブラケット体を連結し、前記カバーブラケット体に前記固定カバーを締結しているものである。
【０００７】
請求項２の発明は、請求項１に記載したコンバインにおいて、前記刈取装置の側面のうち引起装置と穀稈搬送装置の側方に、フック機構を介して、前記着脱カバーをワンタッチ脱着可能に支持すると共に、前記引起装置上端側の引起し横フレーム側方に、締結体を介して、前記固定カバーを固着したものである。
【０００８】
【０００９】
請求項３の発明は、請求項２に記載したコンバインにおいて、前記刈取装置の前方側を照射するライトを備える構造であって、前記引起し横フレームの側方にカバーブラケット体を配置し、前記ライトの取付けボルトを介して、前記カバーブラケット体に前記固定カ
バーを締結したものである。
【発明の効果】
【００１０】
請求項１の発明によると、刈取装置の側面を覆うサイドカバーを備え、メンテナンス用の着脱カバーと、前記着脱カバーの上端側に延長状に配置する固定カバーとによって前記サイドカバーを形成するコンバインにおいて、前記刈取装置の側面のうち引起し搬送穀稈が絡みやすい区域の側面に前記着脱カバーを設けると共に、前記刈取装置の側面のうち引起し搬送穀稈が絡みにくい区域の側面に前記固定カバーを設け、前記刈取装置の側部のうち、操縦座席から離れた側の側部に引起し支持フレームを介してバックミラー支柱を立設させ、前記バックミラー支柱の上下幅中間と前記引起し支持フレーム間にカバーブラケット体を連結し、前記カバーブラケット体に前記固定カバーを締結しているものであるから、取外し容易な係止手段を介して装着した前記着脱カバーによって、引起し搬送穀稈が絡みやすい区域を覆い、引起し搬送中に絡み付いた穀稈を簡単に除去でき、絡み付いた穀稈の除去作業性などを向上できるものでありながら、ボルトなどの締結手段を介して装着した前記固定カバーによって、引起し搬送穀稈が絡みにくい区域を覆い、前記固定カバー側の剛性を向上できる。従来のサイドカバー構造に比べ、前記着脱カバーまたは前記固定カバーの振動または変形などを低減して、刈取装置の側面を区分けして、機能的に覆うことができる。
また、前記刈取装置の側部のうち、操縦座席から離れた側の側部に引起し支持フレームを介してバックミラー支柱を立設させ、前記バックミラー支柱の上下幅中間と前記引起し支持フレーム間にカバーブラケット体を連結し、前記カバーブラケット体に前記固定カバーを締結したものであるから、前記固定カバーの締結に必要な部品数を低減して低コストに構成できるものでありながら、前記バックミラー支柱の支持によって前記固定カバーの支持強度を容易に確保できると共に、前記固定カバーなどの組立・分解作業性を向上できる。
【００１１】
請求項２の発明によると、請求項１に記載したコンバインにおいて、前記刈取装置の側面のうち引起装置と穀稈搬送装置の側方に、フック機構を介して、前記着脱カバーをワンタッチ脱着可能に支持すると共に、前記引起装置上端側の引起し横フレーム側方に、締結体を介して、前記固定カバーを固着したものであるから、穀稈の除去作業などが実行しやすい形状に前記着脱カバーを形成できる。また、前記引起し横フレーム側部の支持フレームなどを利用して、前記固定カバーの締結構造を簡略化できると共に、前記固定カバーまたは前記引起し横フレームなどの支持剛性を向上できる。
【００１２】
【００１３】
請求項３の発明によると、請求項２に記載したコンバインにおいて、前記刈取装置の前方側を照射するライトを備える構造であって、前記引起し横フレームの側方にカバーブラケット体を配置し、前記ライトの取付けボルトを介して、前記カバーブラケット体に前記固定カバーを締結したものであるから、前記カバーブラケット体を共用して、前記固定カバーまたはライトの取付け部品数を削減でき、低コストに構成できるものでありながら、前記固定カバーまたはライトの支持剛性を向上できると共に、前記固定カバーを締結するボルト本数の削減により、前記固定カバーなどの組立・分解作業性を向上できる。
【図面の簡単な説明】
【００１４】
【図１】コンバインの左側面図である。
【図２】コンバインの右側面図である。
【図３】コンバインの平面図である。
【図４】刈取装置の左側面図である。
【図５】刈取装置の右面図である。
【図６】刈取装置の平面図である。
【図７】刈取装置の左側背面斜視図である。
【図８】刈取装置の右側背面斜視図である。
【図９】刈取装置の左側分解斜視図である。
【図１０】図９の拡大説明図である。
【図１１】図１０の拡大説明図である。
【図１２】刈取装置の右側分解斜視図である。
【図１３】図１２の拡大説明図である。
【図１４】刈取装置の右側分解説明図である。
【図１５】図１４の拡大説明図である。
【図１６】右側の刈取フレームを示す前面視説明図である。
【図１７】図１６の拡大説明図である。
【発明を実施するための形態】
【００１５】
以下、本願発明に係るコンバインを具体化した実施形態を図面に基づいて説明する。なお、以下の説明では、走行機体１の前進方向に向かって左側を単に左側と称し、同じく前進方向に向かって右側を単に右側と称する。
【００１６】
まず、図１及び図２を参照して、コンバインの全体構造について説明する。図１及び図２に示す如く、実施形態の４条刈り用コンバインは、左右一対の走行クローラ２（走行部）にて支持された走行機体１を備えている。走行機体１の前部には、穀稈を刈取る４条刈り用の刈取装置３が単動式の昇降用油圧シリンダ４によって昇降調節可能に装着されている。走行機体１には、フィードチェン６を有する脱穀装置５と、脱穀後の穀粒を貯留するグレンタンク７とが横並び状に搭載されている。なお、脱穀装置５が走行機体１の前進方向に向かって左側に配置され、グレンタンク７が走行機体１の前進方向に向かって右側に配置されている。
【００１７】
グレンタンク７の後方から上方にかけて、グレンタンク７内の穀粒を機体外部に排出する排出オーガ８が配設されている。排出オーガ８の縦オーガ８ａを中心として、グレンタンク８の前部を機体側方へ回動できるように構成されている。グレンタンク７の前方で走行機体１の右側前部には、操縦部１０が設けられている。操縦部１０には、オペレータが搭乗するステップ１１、操縦座席１２、操縦レバー１３、各種の操作レバーやスイッチ等を備えた操作装置を配置している。操縦座席１２の下方の走行機体１には、動力源としてのエンジン２０が配置されている。また、エンジン２０の動力を伝えるミッションケース１９が走行機体１前部に配置されている。
【００１８】
図１に示す如く、走行機体１の下面側には、左右のトラックフレーム２１を配置している。トラックフレーム２１には、走行クローラ２にミッションケース１９の走行動力を伝える駆動スプロケット２２と、走行クローラ２のテンションを維持するテンションローラ２３と、走行クローラ２の接地側を接地状態に保持する複数のトラックローラ２４とを設けている。駆動スプロケット２２によって走行クローラ２の前側を支持し、テンションローラ２３によって走行クローラ２の後側を支持し、トラックローラ２４によって走行クローラ２の接地側を支持する。
【００１９】
図１及び図２に示す如く、刈取装置３には、圃場の未刈り穀稈を引起す４条分の穀稈引起装置３１と、圃場の未刈り穀稈の株元を切断するバリカン式の刈刃装置３２と、穀稈引起装置３１からフィードチェン６の前端部（送り始端側）に刈取り穀稈を搬送する穀稈搬送装置３３とを備えている。穀稈引起装置３１によって圃場の未刈り穀稈が引起され、刈刃装置３２によって未刈り穀稈の株元が切断され、穀稈搬送装置３３によってフィードチェン６の前端部に刈取り穀稈が搬送される。
【００２０】
脱穀装置５には、扱室（図示省略）に内設する扱胴５１と、扱胴５１の下方に落下する脱粒物を選別する揺動選別機構としての揺動選別盤５２と、揺動選別盤５２に選別風を供給する唐箕ファン５３と、扱胴５１の後部から取出される脱穀排出物を再処理する処理胴５４と、揺動選別盤５２の後部の排塵を機外に排出する排塵ファン６１とを備えている。
【００２１】
図１及び図２に示す如く、フィードチェン６の後端側（送り終端側）には、排藁チェン６２が配置されている。フィードチェン６の後端側から排藁チェン６２に受け継がれた排藁（穀粒が脱粒された稈）は、長い状態で走行機体１の後方に排出されるか、または脱穀装置５の後方側に設けた排藁カッタ６３にて適宜長さに短く切断されたのち、走行機体１の後方下方に排出される。
【００２２】
揺動選別盤５２の下方側には、揺動選別盤５２にて選別された穀粒（一番選別物）を取出す一番コンベヤ５５と、穀粒や藁屑や枝梗付き穀粒等が混合した二番選別物を取出す二番コンベヤ５６とが設けられている。なお、走行機体１の進行方向前側から一番コンベヤ５５、二番コンベヤ５６の順で、走行機体１の上面側に横設されている。
【００２３】
揺動選別盤５２は、受網６０を介して扱胴５１の下方に落下した脱穀物を、揺動選別（比重選別）するように構成している。揺動選別盤５２から落下した穀粒（一番選別物）は、その穀粒中の粉塵が唐箕ファン５３からの選別風によって除去され、一番コンベヤ５５に落下する。一番コンベヤ５５の終端部には、上方向に延びる一番揚穀筒５７が連通接続されている。一番コンベヤ５５から取出された穀粒は、一番揚穀筒５７内の一番揚穀コンベヤ（図示省略）によってグレンタンク７に搬入され、グレンタンク７の内部に収集される。
【００２４】
また、揺動選別（比重選別）と風選別によって、枝梗付き穀粒等の二番選別物（穀粒と藁屑等が混在した再選別用の処理物）を、揺動選別盤５２から二番コンベヤ５６に落下させるように構成されている。二番コンベヤ５６によって取出された二番選別物は、二番還元筒５８を介して揺動選別盤５２の上面側に戻されて再選別される。また、扱胴５１からの脱粒物中の藁屑及び粉塵等は、唐箕ファン５３からの選別風と排塵ファン６１の吸排塵作用とによって、走行機体１の後部から圃場に向けて排出される。
【００２５】
次に、図４〜図１３を参照しながら、刈取装置３の構造を説明する。図４〜図８に示す如く、刈取装置３の刈取フレーム３０として、刈取回動支点軸である刈取入力フレーム３５と、縦伝動フレーム３６と、横伝動フレーム３７とを備えている。走行機体１の前部に立設された刈取支持体（図示省略）に刈取入力フレーム３５が回動可能に支持される。走行機体１の左右方向に向けて刈取入力フレーム３５を延設する。刈取入力フレーム３５から前方に向けて縦伝動フレーム３６を延設する。縦伝動フレーム３６の前端側に横伝動フレーム３７を連結する。走行機体１の左右方向に向けて横伝動フレーム３７を延設する。
【００２６】
縦伝動フレーム３６と走行機体１との間に、昇降用油圧シリンダ４が配置される。昇降操作レバー等（図示省略）によって昇降用油圧シリンダ４を作動させることにより、刈取刈取入力フレーム３５回りに刈取装置３（縦伝動フレーム３６）を回動させ、刈取装置３（刈刃装置３２）を任意の高さに昇降するように構成している。
【００２７】
図４〜図８に示す如く、横伝動フレーム３７から前方に向けて４条分（刈取り条数分）の分草フレーム３８を延長させている。各分草フレーム３８の前端側に分草体２６がそれぞれ締結されている。横伝動フレーム３７の左端側に、引起縦パイプとしての１本の引起入力縦ケース３９を前方斜め上向きに延びるように立設している。
【００２８】
図７〜図９に示す如く、引起入力縦ケース３９の上端側に、左右方向に延長した引起入力横ケース４０の左端部を連結している。また、引起し横フレームとしての引起入力横ケース４０の右端部には、引起縦パイプの一例である丸パイプ状の引起縦フレーム５０を立設する。引起縦フレーム５０の上端側が引起入力横ケース４０の右端部に連結されている。引起入力横ケース４０は、引起入力縦ケース３９と引起縦フレーム５０とによって、後述する引起ケース４２の上端より上方側で、刈取装置３の左右方向に向けて略水平に横架されている。
【００２９】
図７〜図９に示す如く、引起入力縦ケース３９の上端側の高位置（引起入力横ケース４０の近傍）に引起変速ケース２７が設けられている。引起入力横ケース４０には、刈取り条数に合わせた数（本実施形態では４条分の４本）の引起駆動ケース４１が、引起入力横ケース４０の長手方向（走行機体２の幅方向）に沿って適宜間隔で下向きに並べて設けられている。すなわち、刈取フレーム３０としての引起入力縦ケース３９と、刈取フレーム３０としての引起入力横ケース４０と、４条分の引起駆動ケース４１とを介して、引起ケース４２に引起駆動力が入力されるように構成している。
【００３０】
図６に示すように、穀稈引起装置３１には、引起機構としての４条分の引起ケース４２を備えている。各引起ケース４２には、分草体２６によって分草された未刈り穀稈を起立させる複数の引起タイン２８をそれぞれ備えている。１条分の複数の引起タイン２８は、１本のエンドレス状の引起タインチェン（図示省略）に略等間隔に配置されている。引起ケース４２は分草体２６の後方に配置されている。引起ケース４２は上下方向に長く後傾姿勢に設けられている。引起ケース４２の上端側は、引起駆動ケース４１の下端側に連結されている。分草フレーム３８に立設した引起支持フレーム２９に引起ケース４２の下端側が連結されている。
【００３１】
図４〜図９に示す如く、穀稈搬送装置３３は、引起ケース４２の後方に配置されている。穀稈搬送装置３３は、４条分の引起ケース４２から導入された未刈り穀稈の株元側を掻込む４条分のスターホイル４３と掻込ベルト４４と、刈取り穀稈の株元側を後方に搬送する左右の株元搬送チェン４５と、株元搬送チェン４５から４条分の刈取り穀稈の株元側を受継ぐ縦搬送チェン４６と、縦搬送チェン４６の搬送終端部からフィードチェン６の搬送始端部に４条分の刈取り穀稈の株元側を搬送する補助株元搬送チェン４８と、株元受継ぎ搬送チェン４９を備えている。
【００３２】
更に、図６に示す如く、穀稈搬送装置３３は、株元搬送チェン４５によって搬送される刈取り穀稈の穂先側を搬送する穂先搬送タイン機構４７を備えている。刈取装置３で刈取った４条分の刈取穀稈の穂先側が、後穂先搬送タイン（図示省略）の送り終端側から、扱胴５１を内蔵した脱穀装置５の扱室内に搬送される。
【００３３】
図９に示す如く、刈刃装置３２を構成する左右二組のバリカン式の刈刃は、分草フレーム３８の下方には、刈取装置３の左右幅方向に、横伝動フレーム３７に沿わせて設けている。前記刈刃装置３２は、４条分のスターホイル４３と掻込ベルト４４とによって掻込まれた未刈り穀稈の株元を切断する。
【００３４】
次に、図４乃至図１７を参照しながら、刈取装置３の左右側方を覆う左右のサイドカバー８１Ｒ，８１Ｌの構造について説明する。左右のサイドカバー８１Ｒ，８１Ｌは、メンテナンス用の左右の着脱カバー８２Ｒ，８２Ｌと、各着脱カバー８２Ｒ，８２Ｌの上端側に延長状に配置する左右の固定カバー８３Ｒ，８３Ｌとによって形成する。刈取装置３の側面のうち引起し搬送穀稈が絡みやすい下部区域の側面に着脱カバー８２Ｒ，８２Ｌを設けると共に、刈取装置３の側面のうち引起し搬送穀稈が絡みにくい上部区域の側面に固定カバー８３Ｒ，８３Ｌを設けている。
【００３５】
図９、図１４に示す如く、刈取装置３の側面のうち引起装置３１と穀稈搬送装置３３の側方に配置された左右のカバー上部支持フレーム８４Ｒ，８４Ｌと左右のカバー下部支持フレーム８５Ｒ，８５Ｌに、フック機構としての上下の可動フック８６，８７を介して、着脱カバー８２Ｒ，８２Ｌをワンタッチ脱着可能に支持すると共に、引起装置３１上端側の引起入力横ケース４０側方に、締結ボルト８８を介して、固定カバー８３Ｒ，８３Ｌを固着している。上下の可動フック８６，８７は、図示しないバネの弾圧によって、上部支持フレーム８４Ｌ，８４Ｒと下部支持フレーム８５Ｌ，８５Ｒに係止維持され、刈取フレーム３０に左右の着脱カバー８２Ｌ，８２Ｒを固着させている。左右の着脱カバー８２Ｌ，８２Ｒは、その外面の可動フック８６，８７操作部を操作して、支持フレーム８４Ｌ，８４Ｒ，８５Ｌ，８５Ｒから可動フック８６，８７を離脱させ、刈取装置３から取り外すように構成している。
【００３６】
即ち、刈取装置３の左右側方は、左右の着脱カバー８２Ｒ，８２Ｌと、左右の固定カバー８３Ｒ，８３Ｌによって覆われている。左右の着脱カバー８２Ｒ，８２Ｌの上方に、左右の固定カバー８３Ｒ，８３Ｌがそれぞれ配置されている。着脱カバー８２Ｒ，８２Ｌにて刈取装置３における左右側部の下方側が覆われた状態では、着脱カバー８２Ｒ，８２Ｌの上端縁は、引起入力横ケース４０よりも低位置におかれている。刈取装置３における左右側部の上方側（引起入力横ケース４０の側方）が、固定カバー８３Ｒ，８３Ｌにて覆われる。
【００３７】
さらに、図４、図７、図９〜図１３を参照して、左の着脱カバー８２Ｌと、左の固定カバー８３Ｌの取付け構造を説明する。図７、図１０、図１２、図１３に示す如く、操縦座席１２から機体左側後方を目視確認するためのバックミラー９０と、バックミラー９０上端側に支持するバックミラー支柱９１を備える。バックミラー支柱９１の下端部に下部支柱ブラケット９２を一体的に溶接固定する。引起入力縦ケース３９の上下幅中間に下部支柱ブラケット９２を着脱可能にボルト９３締結する。なお、下部支柱ブラケット９２に左のカバー上部支持フレーム８４Ｌを溶接固定している。
【００３８】
図９、図１１〜図１３に示す如く、引起入力横ケース４０の左側端部にベースフレーム９４を着脱可能にボルト９５締結する。ベースフレーム９４に上部支柱ブラケット９６をボルト９７締結する。バックミラー支柱９１の上下幅中間に上部支柱ブラケット９６を一体的に溶接固定する。下部支柱ブラケット９２と上部支柱ブラケット９６を介して、引起入力横ケース４０上部の左側方にバックミラー支柱９１を立設させ、バックミラー９０を所定姿勢に支持するように構成している。
【００３９】
また、上部支柱ブラケット９６に下側カバーブラケット体９８を一体的に溶接固定する。バックミラー支柱９１の上下幅中間と、左引起し支持フレームとしての引起入力縦ケース３９（引起入力横ケース４０）間に、上部支柱ブラケット９６を介して、下側カバーブラケット体９８を連結する。一方、バックミラー支柱９１の上下幅中間のうち、上部支柱ブラケット９６よりも上端側に、上側カバーブラケット体９９を一体的に溶接固定する。引起入力横ケース４０の左側方に、下側カバーブラケット体９８と上側カバーブラケット体９９を配置する。
【００４０】
図７、図９、図１１〜図１３に示す如く、刈取部３の前方と側方を照らすライトとしての左の前照灯１１１Ｌと、機体周辺の人に左右移動方向（コンバイン機体の走行進路）を知らせる方向指示器１１２を備える。左の前照灯１１１Ｌの取付けボルト１１３を下側カバーブラケット体９８に締結する。前照灯１１１Ｌの取付け部と下側カバーブラケット体９８の間に左の固定カバー８３Ｌを挟持固定する。また、方向指示器１１２の取付けボルト１１４にナット１１５を螺着させる。取付けボルト１１４とナット１１５を介して、上
側カバーブラケット体９９に方向指示器１１２を締結する。方向指示器１１２の取付け部と上側カバーブラケット体９９の間に左の固定カバー８３Ｌを挟持固定する。
【００４１】
即ち、締結ボルト８８と、左の前照灯１１１Ｌの取付けボルト１１３と、方向指示器１１２の取付けボルト１１４を介して、下側カバーブラケット体９８と上側カバーブラケット体９９に、左の固定カバー８３Ｌを締結する。締結ボルト８８と、前照灯１１１Ｌと、方向指示器１１２を脱着して、左の固定カバー８３Ｌを脱着するように構成している。換言すると、刈取装置３の側部のうち、操縦座席１２から離れた側の側部に引起入力縦ケース３９（左引起し支持フレーム）を介してバックミラー支柱９１を立設させる。引起入力横ケース４０側方の下側カバーブラケット体９８と上側カバーブラケット体９９を介して、バックミラー支柱９１に左の固定カバー８３Ｌを締結ボルト８８にて固着している。
【００４２】
上記の構成により、左の着脱カバー８２Ｌの面積を縮小して、低コストに形成でき、かつ着脱カバー８２Ｌの着脱操作等の取扱い性を向上できると共に、左の固定カバー８３Ｌの外側面を利用して、左の前照灯１１１Ｌ及び方向指示器１１２をコンパクトに設置でき、刈取装置３の前側を充分に照明できる。また、刈取フレーム３０の一部としてバックミラー支柱９１を設けている。ベースフレーム９４またはバックミラー支柱９１を介して、引起入力縦ケース３９または引起入力横ケース４０に、左のサイドカバー８１Ｌ（左の着脱カバー８２Ｌ、左の固定カバー８３Ｌ）と、左の前照灯１１１Ｌと、方向指示器１１２とを支持させている。したがって、引起変速ケース２７が上端部に配置された引起入力縦ケース３９の上端側と引起入力横ケース４０の左端側との連結強度が、バックミラー支柱９１の連結にて向上されるものでありながら、各カバーブラケット体９８，９９の支持構造を簡略化でき、かつカバーブラケット体９８，９９の支持剛性も向上できる。
【００４３】
さらに、図５、図１４〜図１７を参照して、右の着脱カバー８２Ｒと、右の固定カバー８３Ｒの取付け構造を説明する。図１４〜図１７に示す如く、分草フレーム３８基端側の分草ブラケット１２０に引起縦フレーム５０の下端側を締結固定する。引起入力横ケース４０の右側端部に右側ケースブラケット１２２をボルト締結する。右側ケースブラケット１２２に引起縦フレーム５０の上端側を溶接固定する。引起縦フレーム５０を介して分草フレーム３８に引起入力横ケース４０の右側端部を支持させる。引起縦フレーム５０上端側の上下の支柱側ブラケット１２５，１２６にサイドカバー支柱１２３の上下端部をボルト締結する。引起縦フレーム５０に隣接させてサイドカバー支柱１２３を立設支持させる。
【００４４】
また、サイドカバー支柱１２３の下端部に下部固定カバーブラケット１２７を溶接固定する。下部固定カバーブラケット１２７にカバー受けブラケット１２４を介して右のカバー上部支持フレーム８４Ｒを配置する。カバー支柱１２３の上端部に上部固定カバーブラケット１２８を溶接固定する。なお、下の支柱側ブラケット１２６に下部固定カバーブラケット１２７をボルト締結している。
【００４５】
図５、図１４〜図１７に示す如く、刈取部３の前方と側方を照らすライトとしての右の前照灯１１１Ｒを備える。右の固定カバー８３Ｒを挟んで、右の前照灯１１１Ｒの取付けボルト１３１を上部固定カバーブラケット１２８に締結する。前照灯１１１Ｒの取付け部と上部固定カバーブラケット１２８の間に右の固定カバー８３Ｒを挟持固定する。即ち、締結ボルト８８と、右の前照灯１１１Ｒの取付けボルト１３１を介して、上部固定カバーブラケット１２８に、右の固定カバー８３Ｒを締結する。締結ボルト８８と、右の前照灯１１１Ｒを脱着して、右の固定カバー８３Ｒを脱着するように構成している。
【００４６】
なお、ベースフレーム９４に左のゲートカバー軸１３２を設け、右側ケースブラケット１２２に軸固定ブラケット１３３を介して右のゲートカバー軸１３４を設け、引起入力横
ケース４０の前面側を覆うためのゲートカバー１３５の上端側を、左右のゲートカバー軸１３２，１３４に連結させ、左右方向に長い左右のゲートカバー軸１３２，１３４回りにゲートカバー１３５を回動可能に支持するように構成している。また、図１１に示す如く、ベースフレーム９４には、引起変速ケース２７の変速ギヤを切換えるための変速操作リンク機構１３６、または未刈り穀稈分草用の左サイドデバイダ１３７を出入するための分草操作リンク機構１３８を配置させる支点軸機構１３９を設けている。さらに、左の固定カバー８３Ｌの外側面に、図示しない車幅灯（コンバイン機体の左側の最外側を知らせるライト）を設置してもよい。
【００４７】
図４〜図９に示す如く、刈取装置３の側面を覆うサイドカバー８１Ｌ，８１Ｒを備え、メンテナンス用の着脱カバー８２Ｌ，８２Ｒと、着脱カバー８２Ｌ，８２Ｒの上端側に延長状に配置する固定カバー８３Ｌ，８３Ｒとによって、サイドカバー８１Ｌ，８１Ｒを形成するコンバインにおいて、刈取装置３の側面のうち引起し搬送穀稈が絡みやすい区域の側面に着脱カバー８２Ｌ，８２Ｒを設けると共に、刈取装置の側面のうち引起し搬送穀稈が絡みにくい区域の側面に前記固定カバー８３Ｌ，８３Ｒを設けている。したがって、取外し容易な係止手段を介して装着した着脱カバー８２Ｌ，８２Ｒによって、引起し搬送穀稈が絡みやすい区域を覆い、引起し搬送中に絡み付いた穀稈を簡単に除去でき、絡み付いた穀稈の除去作業性などを向上できるものでありながら、ボルトなどの締結手段を介して装着した固定カバー８３Ｌ，８３Ｒによって、引起し搬送穀稈が絡みにくい区域を覆い、固定カバー側の剛性を向上できる。従来のサイドカバー構造に比べ、着脱カバー８２Ｌ，８２Ｒまたは固定カバー８３Ｌ，８３Ｒの振動または変形などを低減して、刈取装置３の側面を区分けして、機能的に覆うことができる。
【００４８】
図４〜図９に示す如く、刈取装置３の側面のうち穀稈引起装置３１と穀稈搬送装置３３の側方に、フック機構としての上下の可動フック８６，８７を介して、着脱カバー８２Ｌ，８２Ｒをワンタッチ脱着可能に支持すると共に、穀稈引起装置３１上端側の引起し横フレームとしての引起入力横ケース４０側方に、締結体としての締結ボルト８８を介して、固定カバー８３Ｌ，８３Ｒを固着している。したがって、穀稈の除去作業などが実行しやすい形状に着脱カバー８２Ｌ，８２Ｒを形成できる。また、引起入力横ケース４０側部の支持フレーム（引起入力縦ケース３９）などを利用して、固定カバー８３Ｌ，８３Ｒの締結構造を簡略化できると共に、固定カバー８３Ｌ，８３Ｒまたは引起入力横ケース４０などの支持剛性を向上できる。
【００４９】
図７、図１０〜図１３に示す如く、刈取装置３の側部のうち、操縦座席１２から離れた側の側部に、引起し支持フレームとしての引起入力縦ケース３９（引起入力横ケース４０）を介してバックミラー支柱９１を立設させ、バックミラー支柱９１の上下幅中間と引起入力縦ケース３９（引起入力横ケース４０）間に下側カバーブラケット体９８と上側カバーブラケット体９９を連結し、カバーブラケット体９８，９９に固定カバー８３Ｌ，８３Ｒを締結している。したがって、固定カバー８３Ｌ，８３Ｒの締結に必要な部品数を低減して低コストに構成できるものでありながら、バックミラー支柱９１の支持によって固定カバー８３Ｌ，８３Ｒの支持強度を容易に確保できると共に、固定カバー８３Ｌ，８３Ｒなどの組立・分解作業性を向上できる。
【００５０】
図１０〜図１７に示す如く、刈取装置３の前方側を照射するライトとしての左右の前照灯１１１Ｌ，１１１Ｒを備える構造であって、引起入力横ケース４０（引起し横フレーム）の側方にカバーブラケット体９８，９９を配置し、前照灯１１１Ｌ，１１１Ｒの取付けボルト１１３，１３１を介して、カバーブラケット体９８，９９に固定カバー８３Ｌ，８３Ｒを締結している。したがって、カバーブラケット体９８，９９を共用して、固定カバー８３Ｌ，８３Ｒまたは左右の前照灯１１１Ｌ，１１１Ｒの取付け部品数を削減でき、低コストに構成できるものでありながら、固定カバー８３Ｌ，８３Ｒまたは左右の前照灯１
１１Ｌ，１１１Ｒの支持剛性を向上できると共に、固定カバー８３Ｌ，８３Ｒを締結するボルト本数の削減により、固定カバー８３Ｌ，８３Ｒなどの組立・分解作業性を向上できる。
【符号の説明】
【００５１】
３  刈取装置
１２  操縦座席
３１  穀稈引起装置
３３  穀稈搬送装置
３９  引起入力縦ケース（引起し支持フレーム）
４０  引起入力横ケース（引起し横フレーム、引起し支持フレーム）
８１Ｌ  左のサイドカバー
８１Ｒ  右のサイドカバー
８２Ｌ  左の着脱カバー
８２Ｒ  右の着脱カバー
８３Ｌ  左の固定カバー
８３Ｒ  右の固定カバー
８６  上の可動フック（フック機構）
８７  下の可動フック（フック機構）
８８  締結ボルト（締結体）
９１  バックミラー支柱
９８  下側カバーブラケット体
９９  上側カバーブラケット体
１１１Ｌ  左の前照灯（ライト）
１１１Ｒ  右の前照灯（ライト）
１１３  取付けボルト
１３１  取付けボルト
【図１】
0005945163.tif 000002
【図２】
0005945163.tif 000003
【図３】
0005945163.tif 000004
【図４】
0005945163.tif 000005
【図５】
0005945163.tif 000006
【図６】
0005945163.tif 000007
【図７】
0005945163.tif 000008
【図８】
0005945163.tif 000009
【図９】
0005945163.tif 000010
【図１０】
0005945163.tif 000011
【図１１】
0005945163.tif 000012
【図１２】
0005945163.tif 000013
【図１３】
0005945163.tif 000014
【図１４】
0005945163.tif 000015
【図１５】
0005945163.tif 000016
【図１６】
0005945163.tif 000017
【図１７】
0005945163.tif 000018